(57)【要約】【課題】情報端末において、保管物に関する情報を自動的に取得すると共に、保管物の保管場所を検索する際に、保管物を収納した収納容器の保管場所へユーザを導くことを可能とする。【解決手段】あらかじめ保管物を収納する収納容器のコードをインターネットで検索して、その収納容器に関する情報を取得し、取得した情報と収納容器の保管場所を登録しておく。保管物を保管する際には、同様に保管物のコードをインターネットで検索し、取得した保管物に関する情報と保管物を保管する収納容器を登録する。次に、保管物の保管場所を検索するときは、ユーザは、保管物を特定する情報を入力し（Ｓ３０）、保管物の一覧表から所望の保管物を指定する（Ｓ３４）。情報端末は、保管物が指定されると、保管物を収納した収納容器の画像と収納容器が存在する方向を矢印等で情報端末の液晶表示部に表示する（Ｓ３６）。【選択図】図７
2013246801.tif 000002
【特許請求の範囲】
【請求項１】
保管物を収納する収納容器の位置情報である収納容器位置を取得する位置情報取得手段と、
前記収納容器の識別情報と前記位置情報取得手段で取得された収納容器位置とを記憶する収納容器位置記憶手段と、
前記保管物の識別情報から前記保管物に関する保管物情報を取得する保管物情報取得手段と、
前記保管物情報取得手段で取得された前記保管物情報を記憶する保管物情報記憶手段と、
前記保管物を収納する前記収納容器を指定する収納容器指定手段と、
前記保管物と前記収納容器と前記収納容器位置とを関連付ける関連付け手段と、
を備える情報端末。
【請求項２】
ユーザが前記保管物を検索する際に、前記保管物を特定する保管物特定情報を入力する保管物特定情報入力手段と、
入力された前記保管物特定情報と前記保管物情報記憶手段で記憶されている前記保管物情報とを比較して一致する保管物を表示する保管物表示手段と、
前記保管物表示手段で表示された前記保管物の中から、ユーザが所望の保管物を指定するための保管物指定手段と、
前記保管物指定手段で指定された前記保管物と前記関連付け手段によって関連付けされている前記収納容器を表示する収納容器表示手段と、
前記関連付け手段によって前記収納容器表示手段で表示された収納容器に関連付けされた収納容器位置と、ユーザの現在位置とに基づいて前記収納容器の方向を指し示す情報を表示する方向情報表示手段と、
をさらに備えることを特徴とする請求項１に記載の情報端末。
【請求項３】
前記収納容器に保管物が収納される保管位置を記憶する保管位置記憶手段と、
前記収納容器と前記保管位置記憶手段で記憶された前記保管位置とを関連付ける収納保管位置関連付け手段と、
前記収納容器表示手段で表示された前記収納容器に前記収納保管位置関連付け手段で関連付けされた前記保管位置を表示する収納保管位置表示手段と、
をさらに備えることを特徴とする請求項２に記載の情報端末。
【請求項４】
前記収納容器表示手段で表示された収納容器に関連付けされた収納位置と前記情報端末の現在位置との距離に基づいて、音声出力の間隔を順次変更して音声を出力する音声出力変更手段をさらに備えることを特徴とする請求項２又は請求項３に記載の情報端末。
【請求項５】
前記情報端末の現在位置と前記収納容器表示手段で表示された収納容器に関連付けされた収納容器位置との距離を順次計測して繰り返し表示する距離表示手段をさらに備えることを特徴とする請求項２乃至請求項４に記載の情報端末。
【発明の詳細な説明】
【技術分野】
【０００１】
本発明は、一般家庭、図書館やオフィス等で、ユーザが保管する保管物の管理・検索の機能を有する情報端末に関する。
【背景技術】
【０００２】
従来から、ユーザが保管物を机の引き出し等に収納し、その後に、保管物をどこに保管したのか分からなくなる場合がある。このような場合に対処するため、ユーザが保管物に関する情報と保管物を保管した位置情報とを携帯端末を介して、あらかじめサーバに登録しておいて、後に、保管物が必要となったとき、ユーザが、所望の保管物を携帯端末を介してサーバで検索するようにした案内装置が知られている（特許文献１参照）。この装置では、サーバーは、検索された保管物の保管物情報に関連付けられた保管物の位置情報を基に、保管物の場所を携帯端末の表示部に表示する。
【先行技術文献】
【特許文献】
【０００３】
【特許文献１】特開２０１０−２０５２１号
【発明の概要】
【発明が解決しようとする課題】
【０００４】
ところで、保管物である本、ＣＤ、おもちゃ等は、本棚、ＣＤケース、おもちゃ箱等に保管される場合がある。例えば、ＣＤが本棚内のＣＤケースに収納されている場合は、外部からＣＤケースの中身がわからないから、保管物の位置情報だけでは保管物を見つけるのが困難な場合がある。
【０００５】
また、収納する保管物が本である場合には、その本を登録する際に、本の題名や、作者等をユーザが直接入力しなければならない。しかし、上記の特許文献１には、これらの課題を解決するための手段は開示されていない。
【０００６】
本発明は、上記の課題を解決するために、保管物に関する情報を自動的に取得してその情報を登録し、また、保管物を検索するときには、保管物の収納容器が存在する場所にユーザを案内することが可能な情報端末を提供することを目的とする。
【課題を解決するための手段】
【０００７】
本発明の情報端末は、保管物を収納する収納容器の位置情報である収納容器位置を取得する位置情報取得手段と、前記収納容器の識別情報と前記位置情報取得手段で取得された収納容器位置とを記憶する収納容器位置記憶手段と、前記保管物の識別情報から前記保管物に関する保管物情報を取得する保管物情報取得手段と、前記保管物情報取得手段で取得された前記保管物情報を記憶する保管物情報記憶手段と、前記保管物を収納する前記収納容器を指定する収納容器指定手段と、前記保管物と前記収納容器と前記収納容器位置とを関連付ける関連付け手段と、を備える。
【０００８】
上記構成においては、保管物情報取得手段により、保管物の識別情報から保管物に関する保管物情報を自動的に取得して、取得した保管物情報を保管物情報記憶手段に記憶（登録）することができる。
【０００９】
また、ユーザが前記保管物を検索する際に、前記保管物を特定する保管物特定情報を入力する保管物特定情報入力手段と、入力された前記保管物特定情報と前記保管物情報記憶手段で記憶されている前記保管物情報とを比較して一致する保管物を表示する保管物表示手段と、前記保管物表示手段で表示された前記保管物の中から、ユーザが所望の保管物を指定するための保管物指定手段と、前記保管物指定手段で指定された前記保管物と前記関連付け手段によって関連付けされている前記収納容器を表示する収納容器表示手段と、前記関連付け手段によって前記収納容器表示手段で表示された収納容器に関連付けされた収納容器位置と、ユーザの現在位置とに基づいて前記収納容器の方向を指し示す情報を表示する方向情報表示手段と、をさらに備えることが望ましい。
【００１０】
この構成においては、保管物を検索するときには、方向情報表示手段が、収納容器の方向を指し示す情報を表示するので、保管物の収納容器が存在する場所にユーザを案内することができる。
【００１１】
また、前記情報端末は、前記収納容器に保管物が収納される保管位置を記憶する保管位置記憶手段と、前記収納容器と前記保管位置記憶手段で記憶された前記保管位置とを関連付ける収納保管位置関連付け手段と、前記収納容器表示手段で表示された前記収納容器に前記収納保管位置関連付け手段で関連付けされた前記保管位置を表示する収納保管位置表示手段と、をさらに備えることが望ましい。
【００１２】
この構成においては、関連付け手段と収納保管位置関連付け手段により、保管物と収納容器の保管位置とが関連付けされるため、ユーザは収納容器に保管された保管物の保管位置を知ることができる。
【００１３】
また、前記情報端末は、前記収納容器表示手段で表示された収納容器に関連付けされた収納位置と前記情報端末の現在位置との距離に基づいて、音声出力の間隔を順次変更して音声を出力する音声出力変更手段をさらに備えることが望ましい。
【００１４】
この構成においては、収納容器までの距離に基づいて音声出力の間隔が変更されるため、ユーザは、自分の進行方向が収納容器に近づく方向であるか、遠のく方向であるのかを知ることができる。
【００１５】
また、前記情報端末は、前記情報端末の現在位置と前記収納容器表示手段で表示された収納容器に関連付けされた収納容器位置との距離を順次計測して繰り返し表示する距離表示手段をさらに備えることが望ましい。
【００１６】
これにより、例えば、ユーザは、距離表示手段を用いて、現在位置と保管物が収納された収納容器の位置との距離を随時知ることができるため、保管物が保管された収納容器への方向を間違えることが少なくなる。
【発明の効果】
【００１７】
本発明によれば、保管物の識別情報から保管物に関する保管物情報を自動的に取得して記憶することができる。また、情報端末で所望の保管物を検索すると、その保管物を収納した収納容器、及び収納容器の存在する方向が情報端末に表示されるので、保管物の収納容器が存在する場所にユーザを案内することができる。従って、ユーザが所望の保管物を容易に発見できる。
【図面の簡単な説明】
【００１８】
【図１】本発明の第１の実施形態に係る情報端末の電気的ブロック構成図。
【図２】本発明に係る第１の収納容器のデータベースの保存項目とその内容を示した図。
【図３】本発明に係る第２の収納容器のデータベースの保存項目とその内容を示した図。
【図４】本発明に係る保存物１のデータベースの保存項目とその内容を示した図。
【図５】本発明に係る保管物・収納容器の登録動作を表した第１のフローチャート。
【図６】本発明に係る保管物・収納容器の登録動作を表した第２のフローチャート。
【図７】本発明に係る保管物の検索動作を表したフローチャート。
【図８】本発明の第２の実施形態に係る情報端末の電気的ブロック構成図。
【発明を実施するための形態】
【００１９】
（第１の実施形態）
図１に本発明の第１の実施形態に係る情報端末１の電気的ブロック図を示す。情報端末１は、情報を記憶するメモリ３、インターネット等に接続されてデータの送受信を行なう送受信部４、画像やデータ等を表示する液晶表示部５、ユーザが所望のデータを音声やキー等で入力するための入力部６、保管物の映像やバーコード等を読み込むためのカメラ部７、情報端末１の位置情報を取得するための位置情報取得部（位置情報取得手段）８、及びこれらを制御するＣＰＵ２を備える。
【００２０】
つぎに、ユーザが保管物や、保管物を収納する収納容器、例えば、ＣＤケース、本棚等に関する情報を情報端末１に登録するためのデータベースのレコードの構成について図２から図４を用いて説明する。
【００２１】
図２は、データベースにおける第１の収納容器のレコードの一例を示したもので、ここでの登録対象物である収納容器は、本棚である。この本棚を収納容器の例として説明する。図２のデータベースのレコードの項目（フィールド）は上から、識別ＩＤ、名称、バーコード、画像、場所、親情報、参照座標、付与情報、及び付与ファイルである。
【００２２】
まず、識別ＩＤは、データベースのレコード番号のことである。名称は、収納容器の名称（ここでは本棚）である。この場合、バーコードは収納容器である本棚に付されているバーコードであり、本棚にバーコードが付されてない場合は、バーコードの項目は登録しない。また、この場合、画像の項目は、収納容器の本棚の画像であり、場所とは、収納容器の本棚が位置している３次元の座標である。
【００２３】
つぎに、図２中の親情報であるが、このレコードの登録対象物が本棚であるため、親情報は登録しない。親情報は、保管物を収納する収納容器の識別ＩＤを登録するものであり、例えば、データベースのレコードの登録対象物が保管物の書籍の場合は、この書籍を保管する収納容器の識別ＩＤを保管物の親情報の項目に登録するものである。しかし、ここでは登録対象物が本棚であり、この本棚は他の収納容器に収納されるものでないため、この本棚の親情報の項目は、登録しない。
【００２４】
また、図２中の参照座標も親情報と同様に、登録しない。この参照座標は、登録対象物が保管物の場合、その保管物が収納される収納容器における保管物の保管位置（２次元の位置情報）のことである、例えば、データベースの登録対象物が保管物の書籍であり、この書籍が収納される収納容器が本棚の場合、この書籍が本棚のどの位置に保管されたかを示す２次元位置情報である。したがって、ここでの登録対象物が本棚であり、本棚は他の収納容器に収納されるものでないため、親情報と同じく、参照座標の項目は、登録しない。
【００２５】
つぎに、付与情報とは、例えば、登録対象物である本棚の色、大きさ、発売年月日など、本棚を特定するのに役立つ付加的な情報である。これらの付加的な情報が、付与情報の項目に登録される。
【００２６】
また、付与ファイルとは、登録対象物である本棚の画像とは別な画像の画像ファイルや音声ファイル等のデータである。これらのファイル情報が、付与ファイルの項目に登録される。
【００２７】
図３は、データベースにおける第２の収納容器のレコードの一例を示したもので、ここでの登録対象物である収納容器は、ＣＤケースである。この第２の収納容器のレコードについて説明する。
【００２８】
第２の収納容器のレコードも、第１の収納容器のレコードと同様に、識別ＩＤ、名称、バーコード、画像、場所、親情報、参照座標、付与情報、及び付与ファイルから構成されている。この第２の収納容器のレコードの、名称、バーコード、画像、付与情報、及び付与ファイルの項目については、上記の本棚と同様に、ＣＤケースに関するものを登録する。
【００２９】
つぎに、このレコードの場所の項目について説明する。ＣＤケースは、ＣＤを収納する収納容器であるが、ＣＤケースも、保管物と同様に他の収納容器に収納されるものである。したがって、上記本棚と異なり、ＣＤケースが位置している３次元座標は登録しない。その代わりに、ＣＤケースが収納される収納容器の識別ＩＤを、親情報の項目に登録する。ここでは、ＣＤケースが上記本棚（収納容器）に収納されるため、上記の本棚の識別ＩＤが親情報に登録される。ＣＤケースが位置している３次元座標は、本棚の３次元座標と同じであるため、ＣＤケースの３次元座標を登録する代わりに、本棚の識別ＩＤを親情報として登録する。これにより、ＣＤケースが上記本棚に収納されていることが関連付けされる（ＣＤケースと本棚と本棚の場所の３次元座標とが関連付けされる）。
【００３０】
参照座標には、ＣＤケースが、本棚のどの位置に保管されたかを示す２次元の位置情報を登録する。
【００３１】
図４は、データベースにおける保管物のレコードの一例を示したもので、ここでの登録対象物である保管物は、書籍（書籍Ａ）である。この第１の保管物のレコードについて説明する。この書籍Ａは、上記の本棚に収納されるものである。
【００３２】
このレコードの項目（名称、画像、付与情報、付与ファイル、親情報、参照座標）には、ＣＤケースの場合と同様に、書籍Ａに関する情報や書籍Ａの保管位置に関する情報等が登録される。また、バーコードの項目として、ＩＳＢＮのコードが登録される。
【００３３】
次に、上記で説明したデータベースへの保管物、収納容器の登録動作について、図５及び図６のフローチャートを用いて説明する。ユーザは情報端末１の保管物、収納容器と保管場所の登録のアプリケーションを起動する。このアプリケーションを起動すると、ユーザに対して、保管物若しくは収納容器にバーコードやＩＳＢＮ等のコードが付与されている場合には、そのコードで保管物または収納容器に関する情報を所定のホームページで検索するか否かについて判断が促される（Ｓ１）。コードで保管物または収納容器の情報を検索する際には、情報端末１のカメラ部７でこれらのコードなどを撮影する（Ｓ２）。なお、カメラ部７は、バーコードリーダー機能を有している。
【００３４】
ユーザがカメラ部７でコードを撮影（入力）すると（Ｓ３でＹＥＳ）、情報端末１のＣＰＵ２は、このコードに基づいて所定のホームページでコードに基づいた検索を行なう（Ｓ４）。情報端末１のＣＰＵ２は、検索が終了すると液晶表示部５に検索された情報を表示する（Ｓ５）。情報端末１のＣＰＵ２は、ユーザに対して検索された情報を取り出すかどうか、液晶表示部５の画面を通じて判断を促す（Ｓ６）。ユーザが、検索された情報を取り出すことを選択した場合は、情報端末１のＣＰＵ２（保管物情報取得手段）が、表示されたホームページの所定の位置から、保管物または収納容器の名称、画像、付与情報、及び付与ファイルを取り出す（Ｓ７）。さらに、情報端末１のＣＰＵ２は、取り出した情報とコードをデータベースに登録し、図２〜図４に示すように、登録されたデータベースのレコードの内容を表示する（Ｓ８）。なお、情報端末１は、このホームページに対応したデータ切り出し用のプログラムを備えている。
【００３５】
次に、情報端末１のＣＰＵ２は、液晶表示部５の画面を通じてユーザに対して、追加情報を入力部６で入力するかどうか判断を促す（Ｓ９）。ユーザが追加情報の入力を選択すると（Ｓ９でＹＥＳ）、ユーザが追加情報を入力し（Ｓ１０）、データベースのレコードの追加情報に関係する項目に追加した情報、及び上述の取り出した情報がメモリ３に記憶される（Ｓ１１）。
【００３６】
Ｓ１でユーザが保管物または収納容器のコードに基づいて情報を検索しない場合には、ユーザが、保管物または収納容器の名称や画像情報等を情報端末１の入力部６から音声やキー操作等で入力する（Ｓ１２）。ユーザの入力が完了すると（Ｓ１３）、入力した情報がデータベースのレコードの対象項目に登録され、メモリ３に記憶される（Ｓ１１）。
【００３７】
また、Ｓ６でユーザが、検索された情報を取り出さない場合は、情報端末１のＣＰＵ２はデータベースの内容を表示する（Ｓ８）。そして、ユーザが、追加情報の入力を選択し（Ｓ９でＹＥＳ）、保管物または収納容器の名称や画像等を入力し、（Ｓ１０）。入力した情報が、データベースのレコードの対象項目に登録され、メモリ３に記憶される（Ｓ１１）。
【００３８】
つぎに、図６のフォローチャートを用いて保管物または収納容器の保管について説明する。まず、ＣＰＵ２は、データベースに登録する登録対象物が、保管物等（保管物、又は既に登録されている収納容器に収納する収納容器のいずれか）であるか否かの判断をユーザに促す（Ｓ１４）。このユーザ判断の促しは、登録対象物が収納容器の場合であって収納容器の設置場所の３次元座標登録が必要でない場合もあるので、データベースのレコードの場所の項目に、３次元座標の登録が必要か否かをユーザに問い合わせるために行われる。例えばＣＤケースなどの収納容器であっても、ＣＤケースが本棚に収納されるものであって、本棚の３次元座標が登録されていれば、ＣＤケースの位置が判明するので、ＣＤケースの３次元座標の登録は不要となる。
【００３９】
登録対象物が、保管物または他の収納容器に収納される収納容器の場合には（Ｓ１４でＹＥＳ）、ＣＰＵ２は、すでに登録されている収納容器の画像の一覧を情報端末１の液晶表示部５に表示する（Ｓ１５）。ユーザは、情報端末１の入力部６（収納容器指定手段）で保管物を収納する収納容器を選択する（Ｓ１６でＹＥＳ）。なお、情報端末１の入力部６はタッチパネル方式となっており、ユーザは、液晶表示部５に表示された収納容器をタッチすることにより、所望の収納容器を選択することができる。
【００４０】
ユーザが収納容器を選択すると、例えば、図４に示す保管物のデータベースのレコードの親情報の項目に、選択された収納容器の識別ＩＤが情報端末１のＣＰＵ２によって登録され、メモリ３に記憶される。つぎに、情報端末１のＣＰＵ２は、選択された収納容器を液晶表示部５に表示する（Ｓ１７）。ユーザは、表示されている収納容器における保管物が保管される位置をタッチパネル（入力部）６でタッチする（Ｓ１８でＹＥＳ）。これによりＣＰＵ（収納保管位置関連付け手段）２は、タッチされた収納容器の保管位置をデータベースのレコードの参照座標の項目に登録し、メモリ３（保管位置記憶手段）に記憶する（Ｓ１９）。
【００４１】
Ｓ１４で、登録対象物が他の収納容器に収納されない収納容器、例えば、本棚である場合（Ｓ１４でＮＯ）、ユーザが本棚の位置に情報端末１を移動させ、位置情報取得部８（位置情報取得部）で本棚の３次元座標を取得する（Ｓ２０）。本棚の３次元座標が取得されると（Ｓ２１でＹＥＳ）、例えば図２に示されているデータベースのレコードの場所の項目に、情報端末１のＣＰＵ２が、３次元座標（場所）を登録し、メモリ３（収納容器位置記憶手段）に記憶して（Ｓ１９）、登録動作が終了する。
【００４２】
このようにして、保管物や収納容器が次々とデータベースに登録され、保管物または収納容器に収納される収納容器と、それらが収納される収納容器と、この収納容器の位置情報（場所の３次元座標）とが情報端末１のＣＰＵ（関連付け手段）２によって関連付けされる。
【００４３】
つぎに、保管物の検索について、図７のフローチャートを用いて説明する。この検索は、ユーザが情報端末１を用いて保管物を図５及び図６で示した処理により登録し、その後にユーザがその保管物がどこに保管されたかを調べるための検索である。
【００４４】
ユーザは、情報端末１に搭載されている保管物検索用のアプリケーションを起動し、保管物を特定する保管物特定情報を入力部（保管物特定情報入力手段）６で音声やキー等から入力する（Ｓ３０）。ここで、保管物を特定する情報とは、保管物の名称や保管物の関連情報である。入力が完了すると（Ｓ３１）、情報端末１のＣＰＵ２は、入力情報に基づいて、データベースを検索し、入力情報がデータベースの各レコードの名称や付与情報とを比較して、入力情報と全体若しくは一部が一致する名称や付与情報を有するレコードの保管物等の名称や、それに対応する画像を液晶表示部（保管物表示手段）６に表示する（Ｓ３２）。
【００４５】
ユーザは、画面表示部６に表示された保管物の中に所望の保管物があった場合（Ｓ３３でＹＥＳ）、情報端末１の入力部（保管物指定手段）６でその保管物を指定する（Ｓ３４）。保管物が指定されると、情報端末１のＣＰＵ２は、指定された保管物のデータベースのレコードから親情報の項目に記載されている識別ＩＤと参照座標を読み出す。
【００４６】
さらに、親情報の項目から読み出された識別ＩＤに対応する収納容器のデータベースのレコードの名称、画像及び場所の項目から、収納容器の名称、画像、場所の３次元座標を読み出し、名称と画像を情報端末１の液晶表示部（収納容器表示手段）５に表示する（Ｓ３５）。またさらに、保管物のデータベースのレコードから読み出された参照座標の項目のデータを基に、保管物が保管された保管位置を収納容器の画像に重ねて、液晶表示部（収納保管位置表示手段）５に表示する（Ｓ３５）。例えば、保管物のデータベースの参照座標の位置が、本棚の上右端であれば、その位置を矢印か星マークなどで、本棚の画像に重ねて、液晶表示部５に表示する。なお、この矢印か星マークの表示は、ユーザが収納容器の近傍、例えば、１メートル以内に近づいたときに表示してもよい。
【００４７】
また、情報端末１のＣＰＵ２は、位置情報取得部８で現在の情報端末１の座標を取得して、取得した情報端末１の座標と、収納容器の場所（３次元座標）とを比較し、収納容器がどの方向にあるかを情報端末１の液晶表示部（方向情報表示手段）５に矢印で表示すると共に、収納容器までの距離を表示する（Ｓ３６）。例えば、収納容器が前方にある場合には上方向の矢印と収納容器までの距離を液晶表示部５（距離表示手段）に表示する。情報端末１のＣＰＵ２は、順次情報端末１の座標を取得する動作を繰り返し、取得した情報端末の位置の座標とデータベースから読み出した収納容器の場所の座標に基づいて矢印の向きと距離とを更新する。これにより、ユーザは進行方向を間違えずに、収納容器を見つけることができる。
【００４８】
ユーザが収納容器と保管物を見つけた時点で、入力部６に検索終了を入力すると（Ｓ３７）、液晶表示部に表示されていた収納容器の画像と収納容器の方向を示す矢印及び距離が消えて検索作業が終了する。
【００４９】
また、Ｓ３３で所望の保管物が表示されない場合には（Ｓ３３でＮＯ）、ユーザは再検索するか（Ｓ３８でＹＥＳ）、検索を終了するかを（Ｓ３８でＮＯ）、選ぶことができる。
【００５０】
第１の実施形態の情報端末１によれば、保管物の識別情報から保管物に関する保管物情報を自動的に取得して記憶することができる。また、情報端末１で所望の保管物を検索すると、その保管物を収納した収納容器、及び収納容器の存在する方向が情報端末１に表示されるので、保管物の収納容器が存在する場所にユーザを案内することができる。従って、ユーザが所望の保管物を容易に発見できる。さらに、保管物が保管された保管位置を収納容器の画像に重ねて、液晶表示部に表示することができるため、収納容器のどの位置に保管物が保管されているかを容易に知ることができる。
（第２の実施形態）
【００５１】
次に、本発明の第２の実施形態に係る情報端末１について説明する。第１の実施形態との違いは、第１の実施形態では、図７のＳ３６で保管物を収納した収納容器の方向を示す矢印と距離とを、情報端末１の液晶表示部５に表示したが、第２の実施形態ではさらに音声による案内を行なうものである。図８に示すように第２の実施形態の情報端末１は、音声を出力する音声出力部（音声出力変更手段）９を備える。
【００５２】
上述のように第１の実施形態では、収納容器の方向と距離を情報端末１の液晶表示部５に表示したが、第２の実施形態では、例えば１秒間隔でピー、ピーと連続音を情報端末１の音声出力部９から出力する。ユーザが情報端末１を保持したまま移動して、目的の収納容器と情報端末１との距離が、以前より近くなれば、連続音の間隔を短くし、逆に収納容器の位置が遠くなれば、連続音の間隔を長くする。
【００５３】
情報端末１のＣＰＵ２は、順次情報端末１の座標を取得する動作を繰り返し、取得した情報端末１の位置の座標とデータベースから読み出した収納容器の場所の座標から収納容器までの距離を更新することにより、連続音の音声間隔を変更する。
【００５４】
これにより、ユーザは、保管物が収納された収納容器の位置に近づいているのか遠のいているのかを判断でき、より一層、保管物を容易に見つけることができる。
【００５５】
なお、この連続音は、上述の矢印と距離の液晶表示部５の画面表示とともに出力してもよく、必ずしも矢印を表示せず出力してもよい。
【符号の説明】
【００５６】
１  情報端末
２  ＣＰＵ（関連付け手段、収納保管位置関連付け手段）
３  メモリ（収納容器位置記憶手段）
４  送受信部（保管物情報取得手段）
５  液晶表示部（保管物表示手段、収納容器表示手段、収納保管位置表示手段、距離表示手段）
６  入力部（収納容器指定手段、保管物特定情報入力手段、保管物指定手段）
８  位置情報取得部（位置情報取得手段）
９  音声出力部（音声出力変更手段）
【図１】
2013246801.tif 000003
【図２】
2013246801.tif 000004
【図３】
2013246801.tif 000005
【図４】
2013246801.tif 000006
【図５】
2013246801.tif 000007
【図６】
2013246801.tif 000008
【図７】
2013246801.tif 000009
【図８】
2013246801.tif 000010